(57)【要約】【課題】注水に際して、ティーバッグにより注水口を塞ぐことを防止する飲料容器を得る。【解決手段】飲料用容器１０は断面楕円状の容器部１１と、容器部１１に対し取り外し自在の蓋部１２と、この蓋部１２上に配置された開閉部材１３とから構成されている。蓋部１２の注水口１２ｇの近傍には、２個の平面状の係止片１２ｉが蓋部１２の長軸に沿って立設されており、かつ内方に向けて突出されている。飲料用容器１０の容器部１１の把持部１１ｂを持って、親指で開閉部材１３の押圧部１３ｃを押した状態で、飲料用容器１０を十分に傾けたとき、移動したティーバッグＴは係止片１２ｉによりそれ以上の注水口１２ｇ方向への移動が防止されるため、ティーバッグＴが注水口１２ｇを塞ぐことがなく、飲料Ｗを注水口１２ｇから最後まで注水することができる。【選択図】図６
2015077313.tif 000002
【特許請求の範囲】
【請求項１】
上方に開口部を備え飲料を入れる容器部と、前記開口部を閉止し、前記容器部内の飲料を注水する注水口を備えた蓋部と、該注水口の封止する閉止栓を備え、前記注水口の開閉を行う開閉部材とから成る飲料用容器において、
前記蓋部の裏面であって前記注水口の近傍に、前記注水口方向へのティーバッグの移動を防止するための係止片を立設したことを特徴とする飲料用容器。
【請求項２】
前記係止片は複数個としたことを特徴とする請求項１に記載の飲料用容器。
【請求項３】
前記係止片は平面状であり、前記蓋部の裏面中心部から前記注水口に向かう方向に沿って立設したことを特徴とする請求項１又は２に記載の飲料用容器。
【請求項４】
前記係止片は丸みを帯びた頂点を有する略三角形若しくは略四角形、又は半円形の平面状であることを特徴とする請求項１〜３の何れか１つの請求項に記載の飲料用容器。
【発明の詳細な説明】
【技術分野】
【０００１】
本発明は、水又は湯と共に麦茶等のティーバッグを入れて、ティーバッグから茶成分を抽出する飲料用容器に関するものである。
【背景技術】
【０００２】
特許文献１の図１、図９、特許文献２の図１には、指押圧片を押すことで注水口を開放状態にし、傾けることで内部の飲料をコップ等に注ぐ冷水筒が開示されている。麦茶を作るときは、麦茶のティーバッグを冷水筒内に入れ、水又は湯を入れて茶成分を抽出する。
【先行技術文献】
【特許文献】
【０００３】
【特許文献１】特開２００９−１３２４２０号公報
【特許文献２】登録実用新案第３０４１２３１号公報
【発明の概要】
【発明が解決しようとする課題】
【０００４】
上述のように、注水口から飲料を注ぐ際も、ティーバッグは冷水筒内に入れたままであると、注水口にティーバッグが引っ掛かることがある。特に、大きく冷水筒を傾けて注いだ場合には、ティーバッグが注水口を塞いでしまうことになる。このような場合は飲料が注水口から出難くなり、冷水筒を傾ける前の状態に戻して、ティーバッグの位置を移動させてから、再度冷水筒を傾けて使用することもある。
【０００５】
本発明の目的は、上述の課題を解消し、注水に際してティーバッグが注水口を塞ぐことのない飲料用容器を提供することにある。
【課題を解決するための手段】
【０００６】
上記目的を達成するための本発明に係る飲料用容器は、上方に開口部を備え飲料を入れる容器部と、前記開口部を閉止し、前記容器部内の飲料を注水する注水口を備えた蓋部と、該注水口の封止する閉止栓を備え、前記注水口の開閉を行う開閉部材とから成る飲料用容器であって、前記蓋部の裏面であって前記注水口の近傍に、前記注水口方向へのティーバッグの移動を防止するための係止片を立設したことを特徴とする。
【発明の効果】
【０００７】
本発明に係る飲料用容器によれば、注水に際して、注水口の近傍に移動したティーバッグを係止片により係止させるので、ティーバッグが注水口を塞ぐことがなくなり、飲料を最後まで均一に注ぐことが可能となる。
【図面の簡単な説明】
【０００８】
【図１】実施例の飲料用容器の斜視図である。
【図２】裏側から見た蓋部の斜視図である。
【図３】開閉部材を閉じた状態の蓋部の断面図である。
【図４】飲料用容器内にティーバッグ及び水を入れた状態の一部を切欠した側面図である。
【図５】開閉部材を開けた状態の蓋部の断面図である。
【図６】飲料用容器を使用する際の説明図である。
【発明を実施するための形態】
【０００９】
本発明を図示の実施例に基づいて詳細に説明する。
図１は飲料用容器１０の斜視図、図２は蓋部を裏側から見た斜視図、図３は蓋部を閉じた状態の断面図である。この飲料用容器１０は合成樹脂材から成る例えば断面楕円状の容器部１１と、同様に合成樹脂材から成り容器部１１に対し取り外し自在の蓋部１２と、この蓋部１２上に配置された合成樹脂材から成る可動の開閉部材１３とから構成されている。
【００１０】
容器部１１には、上方に開口部１１ａが設けられ、側方に把持部１１ｂが設けられている。蓋部１２の周縁に沿って、開口部１１ａに嵌合する嵌合部１２ａが設けられ、嵌合部１２ａの周囲には開口部１１ａに対し密閉をするための防水用の合成ゴム等から成るパッキンが取り付けられている。
【００１１】
容器部１１の楕円状の開口部１１ａの長軸の両側には、一対の掛止突片１１ｃが外側に向けて突出されている。また、蓋部１２の嵌合部１２ａの両側面には、掛止突片１１ｃに係合する掛止孔１２ｂを備えた掛止部１２ｃが設けられており、この掛止部１２ｃは薄肉のヒンジ部により上下方向に回動自在とされている。
【００１２】
蓋部１２の楕円頂面には長軸に沿って長溝状の凹部１２ｄが設けられており、この凹部１２ｄの両側部には、一対の円柱状の軸部１２ｅが向かい合うように配置している。
【００１３】
凹部１２ｄの前方には楕円孔状の傾斜壁を有し前方にくちばし状に突出する注水部１２ｆが設けられており、注水部１２ｆの底部には、円形の注水口１２ｇと、小径の空気圧調整孔１２ｈとが容器部１１内に向けて穿設されている。
【００１４】
注水口１２ｇの近傍の凹部１２ｄの裏面には、複数個、例えば２個の平面状の係止片１２ｉが蓋部１２の長軸に沿って立設されており、かつ内方に向けて突出されている。実施例においては、係止片１２ｉは丸みを帯びた頂点を有する略三角形としたが、丸みを帯びた頂点を有する略四角形、略半円形等、適宜の形状とすることができる。
【００１５】
蓋部１２の凹部１２ｄ内には、長辺状の開閉部材１３が配置されており、この開閉部材１３の後端下側に設けた軸受部１３ａにより開閉部材１３が軸受部１３ａを中心に上下方向に回動自在となっている。
【００１６】
開閉部材１３の前方である注水口１２ｇ側には、注水口１２ｇを上方から覆う覆部１３ｂが設けられ、開閉部材１３の後方上面には、押圧部１３ｃが設けられている。覆部１３ｂの下側には、注水口１２ｇと嵌合する円筒状の閉止栓１３ｄと、空気圧調整孔１２ｈと嵌合する円筒状の調整孔閉止部１３ｅが設けられている。
【００１７】
閉止栓１３ｄ及び調整孔閉止部１３ｅの先端周囲には、注水口１２ｇ及び空気圧調整孔１２ｈとの間を封止して飲料漏れを防止するためのゴム等のパッキンを取り付けることが好適である。
【００１８】
また、実施例においては、容器部１１及び蓋部１２は、断面楕円状である飲料用容器１０を用いて説明したが、略四角形、円形等、適宜の形状とすることが可能であり、このような場合においても、係止片１２ｉは蓋部１２の裏面中心部から注水口１２ｇに向かう方向に沿って立設される。
【００１９】
図４は飲料用容器１０内に水を満たし、その中に麦茶等のティーバッグＴを入れた状態の一部を切欠した側面図である。容器部１１に対し蓋部１２の掛止突片１１ｃを掛止部１２ｃを回動することによりその掛止部１２ｃ内に係止して固定する。
【００２０】
軸部１２ｅに軸受部１３ａが軸支されると共に、軸受部１３ａが引っ掛かるように軸部１２ｅに係止されているため、開閉部材１３を上方に強く引っ張らない限り、蓋部１２から開閉部材１３が外れてしまうことはない。
【００２１】
また、押圧部１３ｃを押下しない限り、注水口１２ｇに対し閉止栓１３ｄの嵌合状態が解除することはない。この嵌合状態で数時間放置すると、ティーバッグＴ内の茶成分が抽出され、麦茶等の飲料Ｗが生成でき、通常ではティーバッグＴを入れたままの状態で冷蔵庫等に保管する。
【００２２】
図５に示すように、開閉部材１３の押圧部１３ｃを押圧すると、軸部１３ｄを軸にして覆部１３ｂが持ち上がり、注水口１２ｇに対する閉止栓１３ｄの封止を解除するので、飲料用容器１０を傾ければ、容器部１１内の飲料Ｗを注水口１２ｇ、注水部１２ｆを介してコップ等に注ぐことができる。
【００２３】
図６は飲料用容器１０の容器部１１の把持部１１ｂを持って、親指で開閉部材１３の押圧部１３ｃを押した状態で、飲料用容器１０を十分に傾けたときの説明図である。容器部１１内の飲料Ｗの残量が少ない場合は、容器部１１を９０°以上傾ける必要があり、ティーバッグＴは飲料Ｗと共に注水部１２ｆ側に移動する。このとき、移動したティーバッグＴは係止片１２ｉによりそれ以上の注水口１２ｇ方向への移動が防止されるため、ティーバッグＴが注水口１２ｇを塞ぐことがなく、飲料Ｗを注水口１２ｇから最後まで注水することができる。
【００２４】
また、注水口１２ｇから飲料Ｗが流下すると同時に、容器部１１内の空気圧を外気と同じに保つために空気圧調整孔１２ｈから外気が流入する。この空気圧調整孔１２ｈにより、注水口１２ｇから飲料Ｗが注水するにつれ、容器部１１の内圧が低下して飲料Ｗが流下し難くなることを防止することができる。
【００２５】
なお、係止片１２ｉは数や形状等はさほど問題とはならないが、注水に際して飲料Ｗの流れを邪魔することなく、またティーバッグＴを確実に係止できることが必要である。
【符号の説明】
【００２６】
１０  飲料容器
１１  容器部
１１ａ  開口部
１１ｂ  把持部
１１ｃ  掛止突片
１２  蓋部
１２ａ  嵌合部
１２ｂ  掛止孔
１２ｃ  掛止部
１２ｄ  凹部
１２ｅ  軸部
１２ｆ  注水部
１２ｇ  注水口
１２ｉ  係止片
１３  開閉部材
１３ｂ  覆部
１３ｄ  閉止栓
１３ｃ  押圧部
【図１】
2015077313.tif 000003
【図２】
2015077313.tif 000004
【図３】
2015077313.tif 000005
【図４】
2015077313.tif 000006
【図５】
2015077313.tif 000007
【図６】
2015077313.tif 000008